(57)【要約】【課題】課金処理が必要な有料の印刷ジョブの実行中に無料の印刷ジョブが割り込んできた場合であっても、当該無料の印刷ジョブに対して誤って課金処理が行われることを防止することができる画像処理装置及び画像処理方法を提供する。【解決手段】画像処理装置では、原稿を読み取って入力された画像データ等を有料でコピー出力する第１のジョブを生成して課金処理を行う。そして、課金処理が行われたことを条件として第１のジョブを実行して画像データをコピーする。この際に、ジョブの中断事由が発生して、無料で出力する第２のジョブが生成された場合は、第２のジョブに課金処理を行わずに、第１のジョブの実行よりも優先して当該第２のジョブを実行する。【選択図】図１
2006279934.tif 000002
【特許請求の範囲】
【請求項１】
画像データを入力する入力手段と、
ジョブに対して課金処理を行う課金手段と、
課金処理が行われたことを条件として前記画像データを有料で出力する第１のジョブを実行する第１の実行手段と、
前記第１のジョブの実行が中断した場合に、前記第１のジョブの実行よりも優先して第２のジョブを課金処理を行うことなく無料で実行する第２の実行手段と
を備えることを特徴とする画像処理装置。
【請求項２】
前記第１の実行手段は、前記第２の実行手段による前記第２のジョブの実行が終了した後に、前記第１のジョブの実行を再開することを特徴とする請求項１に記載の画像処理装置。
【請求項３】
前記第２の実行手段は、前記第１の実行手段による前記第１のジョブの実行が中断している間に、前記第２のジョブを実行することを特徴とする請求項１又は２に記載の画像処理装置。
【請求項４】
前記第２の実行手段は、オペレータの指示に基づいて前記第１のジョブの実行が中断した場合に、前記第２のジョブを実行することを特徴とする請求項１から３までのいずれか１項に記載の画像処理装置。
【請求項５】
前記第２の実行手段は、ペーパージャムに基づいて前記第１のジョブの実行が中断した場合に、前記第２のジョブを実行することを特徴とする請求項１から３までのいずれか１項に記載の画像処理装置。
【請求項６】
前記第２の実行手段は、前記ペーパージャムに基づいて発生した前記中断事由が解消された後に、前記第２のジョブを実行することを特徴とする請求項５に記載の画像処理装置。
【請求項７】
前記第２の実行手段は、前記課金手段による課金処理が行われずに前記第１のジョブの実行が中断した場合に、前記第２のジョブを実行することを特徴とする請求項１から３までのいずれか１項に記載の画像処理装置。
【請求項８】
前記第２のジョブは、レポートの印刷出力に関するジョブであることを特徴とする請求項１から７までのいずれか１項に記載の画像処理装置。
【請求項９】
前記第１のジョブは、前記入力手段によって原稿を読み取って入力された前記画像データを記録媒体上にコピーして出力するためのコピージョブ、又は前記入力手段によって入力された前記画像データを記録媒体上に印刷して出力するためのプリントジョブであることを特徴とする請求項１から８までのいずれか１項に記載の画像処理装置。
【請求項１０】
画像データを入力する入力手段と、
ジョブに対して課金処理を行う課金手段と、
課金処理が行われたことを条件として、前記画像データを有料で出力する第１のジョブを実行する第１の実行手段と、
前記第１のジョブに対して前記課金手段による課金処理が中断した場合に、前記第１のジョブの実行よりも優先して無料で第２のジョブを実行する第２の実行手段と
を備えることを特徴とする画像処理装置。
【請求項１１】
画像データを画像処理装置に入力する入力工程と、
ジョブに対して課金処理を行う課金工程と、
課金処理が行われたことを条件として前記画像データを有料で出力する第１のジョブを実行する第１の実行工程と、
前記第１のジョブの実行が中断した場合に、前記第１のジョブの実行よりも優先して第２のジョブを課金処理を行うことなく無料で実行する第２の実行工程と
を有することを特徴とする画像処理方法。
【請求項１２】
画像データを画像処理装置に入力する入力工程と、
ジョブに対して課金処理を行う課金工程と、
課金処理が行われたことを条件として前記画像データを有料で出力する第１のジョブを実行する第１の実行工程と、
前記第１のジョブに対して前記課金工程において課金処理が中断した場合に、前記第１のジョブの実行よりも優先して無料で第２のジョブを実行する第２の実行工程と
を有することを特徴とする画像処理方法。
【請求項１３】
コンピュータに、
画像データを入力する入力手順と、
ジョブに対して課金処理を行う課金手順と、
課金処理が行われたことを条件として前記画像データを有料で出力する第１のジョブを実行する第１の実行手順と、
前記第１のジョブの実行が中断された場合に、前記第１のジョブの実行よりも優先して第２のジョブを課金処理を行うことなく無料で実行する第２の実行手順と
を実行させるためのプログラム。
【請求項１４】
コンピュータに、
画像データを入力する入力手順と、
ジョブに対して課金処理を行う課金手順と、
課金処理が行われたことを条件として前記画像データを有料で出力する第１のジョブを実行する第１の実行手順と、
前記第１のジョブに対して前記課金手順において課金処理が中断した場合に、前記第１のジョブの実行よりも優先して無料で第２のジョブを実行する第２の実行手順と
を実行させるためのプログラム。
【請求項１５】
請求項１３又は１４に記載のプログラムを格納したことを特徴とするコンピュータ読み取り可能な記憶媒体。
【発明の詳細な説明】
【技術分野】
【０００１】
本発明は、有料ジョブや無料ジョブを実行するディジタル複合機等の画像処理装置及び画像処理方法に関する。
【背景技術】
【０００２】
近年、インターネットやＬＡＮ等のネットワークに接続されて利用されるスキャナ機能やプリンタ機能を備えるディジタル複合機の利用が普及してきている。このようなディジタル複合機は、オフィス内での利用だけにとどまらず、コンビニエンスストアや学校等の公共のスペースにおいてもその利用が進んできている。ユーザがコピーやプリントを実行する際に支払う料金を直接当該ユーザから徴収するために、一般に、公共スペースに設置されたディジタル複合機には、コピー処理や印刷処理の実行に対して課金を行う課金装置が備わっている（例えば、特許文献１参照。）。
【０００３】
一方で、上述したようなディジタル複合機には、当該機器を管理する管理者やメンテナンスを行うサービスマン等の操作によって、当該ディジタル複合機の設定内容や内部状態情報等を印刷して出力するレポート印刷機能が備わっていることが多い。このようなレポート印刷は、一般のユーザが料金を支払ってジョブを実行している間であっても、ペーパージャム等による中断事由等が発生した場合にはそのジョブの間に割り込んで印刷出力される場合があり得る。
【特許文献１】特開２００３−２４４３４９号公報
【発明の開示】
【発明が解決しようとする課題】
【０００４】
しかしながら、上述したように、一般のユーザが料金を支払って有料のコピーやプリントをディジタル複合機が実行している間に、管理者やサービスマン等によって不用意にレポート印刷等の指示が行われてしまうと、以下のような問題が起こり得る。つまり、ユーザが印刷要求したものではなく本来は無料で印刷されるべきレポート印刷の分の料金が、中断しているジョブについてのユーザが投入した料金から誤って引き落とされてしまうということである。
【０００５】
上述したような問題が発生した場合には、ユーザが投入した有料コピー分の料金から誤って引き落とされた分の料金を後からユーザに返金しなければならない。誤って引き落とされた分の料金を後からユーザに返金する方法としては、現金で有料コピー分の料金徴収を行っている場合は、例えば課金装置から当該金額に相当する分の金額を返金するような仕組みを当該課金装置に付加する必要がある。
【０００６】
また、ディジタル複合機に装着される課金装置は現金のみを扱っているとは限られず、電子マネーやプリペイドカード等を用いて料金の引き落としを行う場合もある。このような課金処理の場合には、誤って引き落とされたの料金を現金のように返金するという機能を課金装置に単純に付加することができず、非常に複雑な処理が必要となってくる。
【課題を解決するための手段】
【０００７】
本発明は、このような事情を考慮してなされたものであり、次のような画像処理装置及び画像処理方法を提供することを目的とする。すなわち、課金処理が必要な有料の印刷ジョブの実行中に無料の印刷ジョブが割り込んできた場合であっても、当該無料の印刷ジョブに対して誤って課金処理が行われることを防止することができる画像処理装置及び画像処理方法を提供する。
【０００８】
上記課題を解決するために、本発明に係る画像処理装置は、
画像データを入力する入力手段と、
ジョブに対して課金処理を行う課金手段と、
課金処理が行われたことを条件として前記画像データを有料で出力する第１のジョブを実行する第１の実行手段と、
前記第１のジョブの実行が中断した場合に、前記第１のジョブの実行よりも優先して第２のジョブを課金処理を行うことなく無料で実行する第２の実行手段と
を備えることを特徴とする。
【０００９】
また、本発明に係る上記画像処理装置において、前記第１の実行手段は、前記第２の実行手段による前記第２のジョブの実行が終了した後に、前記第１のジョブの実行を再開することを特徴とする。
【００１０】
さらに、本発明に係る上記画像処理装置において、前記第２の実行手段は、前記第１の実行手段による前記第１のジョブの実行が中断している間に、前記第２のジョブを実行することを特徴とする。
【００１１】
さらにまた、本発明に係る上記画像処理装置において、前記第２の実行手段は、オペレータの指示に基づいて前記第１のジョブの実行が中断した場合に、前記第２のジョブを実行することを特徴とする。
【００１２】
さらにまた、本発明に係る上記画像処理装置において、前記第２の実行手段は、ペーパージャムに基づいて前記第１のジョブの実行が中断した場合に、前記第２のジョブを実行することを特徴とする。
【００１３】
さらにまた、本発明に係る上記画像処理装置において、前記第２の実行手段は、前記ペーパージャムに基づいて発生した前記中断事由が解消された後に、前記第２のジョブを実行することを特徴とする。
【００１４】
さらにまた、本発明に係る上記画像処理装置において、前記第２の実行手段は、前記課金手段による課金処理が行われずに前記第１のジョブの実行が中断した場合に、前記第２のジョブを実行することを特徴とする。
【００１５】
さらにまた、本発明に係る上記画像処理装置において、前記第２のジョブは、レポートの印刷出力に関するジョブであることを特徴とする。
【００１６】
さらにまた、本発明に係る上記画像処理装置において、前記第１のジョブは、前記入力手段によって原稿を読み取って入力された前記画像データを記録媒体上にコピーして出力するためのコピージョブ、又は前記入力手段によって入力された前記画像データを記録媒体上に印刷して出力するためのプリントジョブであることを特徴とする。
【００１７】
さらにまた、上記課題を解決するために、本発明に係る画像処理装置は、
画像データを入力する入力手段と、
ジョブに対して課金処理を行う課金手段と、
課金処理が行われたことを条件として、前記画像データを有料で出力する第１のジョブを実行する第１の実行手段と、
前記第１のジョブに対して前記課金手段による課金処理が中断した場合に、前記第１のジョブの実行よりも優先して無料で第２のジョブを実行する第２の実行手段と
を備えることを特徴とする。
【発明の効果】
【００１８】
本発明によれば、課金処理が必要な有料の印刷ジョブの実行中に無料の印刷ジョブが割り込んできた場合であっても、当該無料の印刷ジョブに対して誤って課金処理が行われることを防止することができる。
【発明を実施するための最良の形態】
【００１９】
以下、図面を参照して、本発明の一実施形態に係る画像処理装置であるディジタル複合機における画像処理方法について詳細に説明する。
【００２０】
図１は、本発明の一実施形態に係るディジタル複合機１００を備える印刷システムの構成を示すブロック図である。図２に示すように、本実施形態に係る印刷システムは、ネットワーク１１１を介して他装置とのデータ通信が可能なディジタル複合機１００が印刷ジョブ等に対して課金を行う課金装置１１０と接続されて構成されている。
【００２１】
図１に示すように、ディジタル複合機１００は、給紙センサ１０１と排紙センサ１０２に接続して画像データの印刷を行うプリンタ部１０４と、原稿を読み取って画像データを生成するスキャナ部１０３とを備える。また、ディジタル複合機１００は、ネットワーク１１１と接続するためのネットワークインタフェース部１１２と、ユーザ操作を行う操作部１１３とを備える。さらに、ディジタル複合機１００は、課金処理を行う課金装置１１０やプログラム等を格納するハードディスク（ＨＤＤ）１０９とのデータ入出力処理等を制御するＩ／Ｏ制御部１０８とを備える。また、ディジタル複合機１００は、プログラム等が展開可能なＲＡＭ１０７と、プリントアウトされる印刷用紙（記録媒体）の枚数をカウントするカウンタメモリ１０６とを備える。これら各ユニットはＣＰＵ１５によって制御される。
【００２２】
図２は、本発明の一実施形態に係るディジタル複合機１００の外観図である。図２に示すように、ディジタル複合機１００は、原稿をフィードするドキュメントフィーダ部２０１と、原稿を読み取るスキャナ部２０２とを備える。さらにディジタル複合機１００は、画像を印刷出力するプリンタ部２０３と、印刷時に給紙される用紙を格納する給紙カセット２０６と、用紙の排紙を検知する排紙センサ２０４と、用紙の給紙を検知する給紙センサ２０５とを備える。
【００２３】
図３は、本発明の一実施形態に係るディジタル複合機１００におけるコピージョブの実行に伴う課金処理手順を説明するためのフローチャートである。尚、以下の実施形態ではコピージョブを一例に挙げてディジタル複合機１００における処理動作等について説明するが、ディジタルコンテンツの印刷ジョブ等（プリントジョブ）であっても同様の出力動作及び課金動作を行うことができる。また、以下の動作は、ハードディスク１０９等に格納された処理プログラムがＲＡＭ１０７上に展開され、ＣＰＵ１０５の制御により実行される。
【００２４】
ＣＰＵ１０５によって実行されるプログラムは、操作部１１３を介したユーザの操作を受けて原稿のコピー処理が開始される。まず、ディジタル複合機１００を用いて、原稿のコピー処理を行うユーザは、スキャナ部１０３に当該原稿をセットして当該原稿を読み取らせる。これによってディジタル複合機１００内で画像データを生成し、さらに、当該画像データをコピーして出力するコピージョブが生成させる（ステップＳ３０１）。次に、ディジタル複合機１００では、生成したコピージョブを実行するためにその対価としてユーザが支払うべき料金（算出額）を算出する（ステップＳ３０２）。
【００２５】
次いで、ディジタル複合機１００では、ユーザが課金装置１１０に対して投入した金銭の額（投入額）を、ユーザが投入した現金又はプリペイドカードの残高等に基づいて計算して課金装置１１０から取得する（ステップＳ３０３）。そして、ステップＳ３０２で算出された算出額とステップＳ３０３で取得した投入額とを比較する（ステップＳ３０４）。その結果、投入額よりも算出額の方が大きい場合（Ｎｏ）は、料金不足が生じているためにユーザから指示された当該コピージョブを実行せずに、すなわち読み取った原稿から生成した画像データをコピー出力することなく、本処理を終了する。
【００２６】
尚、ステップＳ３０４で投入額よりも算出額の方が大きい場合（Ｎｏ）に、上述したように処理を終了せず、以下のような処理をしてもよい。つまり、不足する料金の課金装置１１０への投入をユーザに促して、ユーザが現金又はプリペイドカード等を課金装置１１０にさらに投入したことを検知した後に、再度、ユーザが課金装置１１０に投入した投入額を取得して、算出額との比較を行う。すなわち、ステップＳ３０３に戻り、ステップＳ３０４をやり直す。また、本フローチャートで説明するコピー処理の開始前に、ユーザが予め上記料金を課金装置２１０に投入しておいてもよいし、ステップＳ３０２でコピージョブの料金が算出された後にユーザが投入するようにしてもよい。
【００２７】
一方、ステップＳ３０４で投入額が算出額以上である場合（Ｙｅｓ）は、ステップＳ３０１で生成したコピージョブのコピー枚数分のコピー出力処理を印刷面ごと（１ページごと）に実行する（ステップＳ３０５）。次に、ステップＳ３０６において、コピージョブの中断事由があるか否かを判定する。ここで、コピージョブの中断事由とは、用紙切れやディジタル複合機１００内のペーパージャム（例えば、給紙ジャムや排紙ジャム等）、或いはユーザによる中断操作によって、コピージョブが一時的に停止した場合である。また、中断事由として、投入額の残高が０になったり、不足したりする場合もある。ステップＳ３０６において中断事由がなければ（Ｎｏ）、ステップＳ３０９に移行する。ステップＳ３０６において中断事由があれば（Ｙｅｓ）、ステップＳ３０７において、当該ディジタル複合機１００の状態に関するレポート印刷等の無料のプリントジョブが生成されたか否かを検出する。レポート印刷は、ディジタル複合機１００内の各種設定内容や、印刷ジョブ結果などを印刷出力するための機能である。レポート印刷は、主にディジタル複合機１００の管理者やメンテナンスを行うサービスマン等の指示によって行われる。このレポート印刷機能は、有料のコピージョブが実行中であっても、優先的に出力するよう指示があれば、有料のコピージョブより優先して出力する優先ジョブとして、無料でプリントアウトするためのものである。
【００２８】
なお、ステップＳ３０６において、投入額の残高が不足してコピージョブが中断された場合、ユーザが追加料金を投入しなければ、コピージョブの出力は継続して実行できない。しかし、ディジタル複合機１００に、用紙切れやトナー切れなどの記録部の異常がなければ、無料の印刷ジョブを実行することが可能である。よってこの場合は、レポート印刷の指示が、有料のコピージョブに対する優先的な指示でなくても、レポート印刷ジョブを先に実行してもよい。つまりこの場合は、優先指示の有無に関らず、無料のレポート印刷ジョブを有料のコピージョブに対する優先ジョブとして取り扱う。
【００２９】
このような処理を行うことによって、記録部以外の原因によって中断している印刷ジョブのために、実行可能な他の印刷ジョブの実行を妨げることなく、印刷装置としてのパフォーマンスを向上させることができる。
【００３０】
本実施形態では、ペーパージャムが発生し、それを給紙センサ１０１又は排紙センサ１０２が検知することによってユーザのコピージョブが一時停止（中断）した場合を例に挙げて説明する。尚、前述したように、コピージョブの一時停止要因はペーパージャムだけに限られることはない。
【００３１】
ステップＳ３０７において、無料のレポート印刷を優先的に実行するジョブが生成されたと検出した場合（Ｙｅｓ）は、当該優先ジョブを実行してレポート印刷処理を印刷面ごと（１ページごと）に実行する（ステップＳ３０８）。尚ここで、ペーパージャムの発生によって実行していたコピージョブが一時停止した後、ステップＳ３０８で無料のレポート印刷を開始するまでに、当該ペーパージャムを解消する処理を行って、ディジタル複合機１００の状態を正常に戻しておく。そして、当該レポート印刷を行った後に、当該レポート印刷が課金対象であるか否かを判定する（ステップＳ３０９）。ここで、ステップＳ３０８で実行された優先ジョブは無料であることから（Ｎｏ）、ステップＳ３１１に遷移する。ステップＳ３１１においては、優先ジョブの印刷するべき次ページ（次の印刷面）があるか否かを判定し、次ページがあれば（Ｙｅｓ）、ステップＳ３０８に戻る。ステップＳ３１１において、優先ジョブの印刷するべき次ページがなければ（Ｎｏ）、優先ジョブの印刷を終了してステップＳ３１２に移行し、継続しているジョブ（コピージョブ）があるかどうかが判定される。
【００３２】
ここで、上記処理は、ステップＳ３０１で生成されたコピージョブの実行中に当該ジョブが中断して一時停止の状態で行われたものである。ステップＳ３０８で無料の優先ジョブが割込みで実行されたが、依然としてステップＳ３０１で生成されたコピージョブは継続している（ステップＳ３１２でＹｅｓ）。そこで、ステップＳ３０５に戻り、当該コピージョブを自動的に再開してコピー処理を行う。尚、本実施形態では説明を簡単にするために、コピージョブを自動的に再開することとしたが、ユーザの再開操作を待って再開するようにしてもよい。なお、ステップＳ３０６における中断事由が、投入額の残高が不足していた場合は、ユーザの再開操作として追加料金の投入が含まれる。
【００３３】
そして、ステップＳ３０７において、前述したように優先ジョブの有無を判断する。その結果、中断事由が発生せずに優先ジョブも生成されない場合（Ｎｏ）はそのまま当該コピージョブが実行され、そのジョブの実行後に当該コピージョブが課金対象であるか否かが判断される（ステップＳ３０９）。また前述したように、ステップＳ３０６において、中断事由がない場合（Ｎｏ）も、同様にステップＳ３０９に移行する。
【００３４】
その結果、現在のコピージョブにおける印刷面が有料であると判断された場合（Ｙｅｓ）は、当該印刷面に対する料金の課金処理を行う（ステップＳ３１０）。ここで、本実施形態における課金処理（ステップＳ３１０）の一例としては、ディジタル複合機１００では、まず現在の印刷面についての料金を取得して当印刷面の給紙信号を課金装置１１０に送信する。続いて排紙信号を課金装置１１０に対して送信して、各印刷面ごとにコピー代金を引き落とすように課金装置１１０で課金処理を行わせる。尚、課金装置１１０に対して送信する給紙信号及び排紙信号には、印刷面の料金情報をそのまま含んでいてもよいし、印刷面の用紙サイズ・色情報といった印刷料金の元となる情報を含んでいてもよい。以降、コピージョブの印刷が完了するまでこの処理を繰り返す。
【００３５】
尚、図２に示す印刷システムでは、ディジタル複合機１００のＩ／Ｏ制御部１０８と課金装置１１０とを接続ケーブルによって直接結線するように構成しているが、その他の構成をとるようにしてもよい。例えば、Ｉ／Ｏ制御部１０８と課金装置１１０との間に、給紙信号及び排紙信号の中継制御装置を設置し、当該中継制御装置を介してＩ／Ｏ制御部１０８と課金装置１１０を接続する。そして、この中継制御装置がディジタル複合機１００からの給紙信号や排紙信号を受信して、課金装置１１０へ信号を送信するように構成してもよい。また、この中継制御装置を、ネットワークインタフェース１１２とネットワーク１１１を介してディジタル複合機１００と接続するよう構成してもよい。
【００３６】
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００３７】
尚、本発明は、前述した実施形態の機能を実現するソフトウェアプログラムを、システムあるいは装置に直接あるいは遠隔から供給し、そのシステムあるいは装置のコンピュータが該供給されたプログラムコードを読み出して実行する場合を含む。該プログラムは、実施形態では図に示すフローチャートに対応したプログラムである。
【００３８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００３９】
その場合、プログラムの機能を有していれば、オブジェクトコード、インタプリタにより実行されるプログラム、ＯＳに供給するスクリプトデータ等の形態であっても良い。
【００４０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また記録媒体としては、磁気テープ、不揮発性のメモリカード、ＲＯＭ、ＤＶＤ（ＤＶＤ−ＲＯＭ，ＤＶＤ−Ｒ）などもある。
【００４１】
その他、プログラムの供給方法としては、クライアントコンピュータのブラウザを用いてインターネットのホームページからダウンロードしてもよい。ホームページから本発明のコンピュータプログラムそのもの、もしくは圧縮され自動インストール機能を含むファイルをハードディスク等の記録媒体にダウンロードしてもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４２】
また、本発明のプログラムを暗号化してＣＤ−ＲＯＭ等の記憶媒体に格納してユーザに配布してもよい。この場合、所定の条件をクリアしたユーザにのみ、インターネットを介してホームページから暗号化を解く鍵情報をダウンロードさせ、その鍵情報を使用することにより暗号化されたプログラムを実行してコンピュータにインストールしてもよい。
【００４３】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行い、その処理によっても前述した実施形態の機能が実現され得る。
【００４４】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行なってもよい。その処理によっても前述した実施形態の機能が実現される。
【図面の簡単な説明】
【００４５】
【図１】本発明の一実施形態に係るディジタル複合機１００を備える印刷システムの構成を示すブロック図である。
【図２】本発明の一実施形態に係るディジタル複合機１００の外観図である。
【図３】本発明の一実施形態に係るディジタル複合機１００におけるコピージョブの実行に伴う課金処理手順を説明するためのフローチャートである。
【符号の説明】
【００４６】
１００  ディジタル複合機
１０１  給紙センサ
１０２  排紙センサ
１０３  プリンタ部
１０８  Ｉ／Ｏ制御部
１１０  課金装置
１１３  操作部
２０１  ドキュメントフィーダ部
２０２  スキャナ部
２０３  プリンタ部
２０４  排紙センサ
２０５  給紙センサ
２０６  用紙カセット
【図１】
2006279934.tif 000003
【図２】
2006279934.tif 000004
【図３】
2006279934.tif 000005